(57)【要約】      （修正有）【課題】キャビネットの外観品位を向上させる。位置合わせのためのトレイ飾りの変位可能幅を、ディスクトレイの組付けガタの程度に依存しにくくする。開口窓からの音漏れやビビリ音の発生を抑制する。【解決手段】キャビネットの凹入部２に設けた開口窓２１を通して進退可能なディスクトレイ５に、全方位変位可能にトレイ飾り６を取り付ける。凹入部２に嵌まり込んだトレイ飾り６を凹入部２の中央に位置合わせするための位置合わせ手段を備える。トレイ飾り６の矩形環状の縁枠部６０が突き当たることにより音漏れを抑制するクッション材３を、凹入部２の底壁２２に接合しておく。位置合わせ手段は、たとえば、幅方向位置決めリブと高さ方向位置決めリブ８２とによって形成することができる。【選択図】図５
2010009679.tif 000002
【特許請求の範囲】
【請求項１】
前後方向に進退可能なディスクトレイを備えるローダを収容したキャビネットに設けられている凹入部に、その凹入部の矩形環状の底壁により取り囲まれて形作られている開口窓が具備され、その開口窓を通して外方への前進移動と内方への後退移動とが可能な上記ディスクトレイにその前端部を覆う形態でトレイ飾りが取り付けられ、上記ディスクトレイが内方に向けて後退移動を行うことにより上記凹入部に上記トレイ飾りが嵌まり込むように構成されているキャビネットとトレイ飾りとの組合せ構造において、
上記トレイ飾りが、上記ディスクトレイに対して全方位に向けて変位可能に、かつ、ディスクトレイの前端部に近付く方向に常時弾発付勢された状態で取り付けられ、
上記凹入部に嵌まり込んだ上記トレイ飾りを上記凹入部の中央に位置合わせするための位置合わせ手段を備えていることに加えて、上記トレイ飾りの外周囲に上記ディスクトレイの後退移動方向に突き出た矩形環状の縁枠部が設けられ、上記底壁に、上記凹入部に嵌まり込んでその中央に位置合わせされたトレイ飾りの上記縁枠部が突き当たることにより、その縁枠部との隙間からの音漏れを抑制する機能を備えたクッション材が重ね合わされていることを特徴とするキャビネットとトレイ飾りとの組合せ構造。
【請求項２】
上記位置合わせ手段が、樹脂成形体でなる上記キャビネットと一体に成形されて上記凹入部内に位置している複数のリブを有し、複数の上記リブが、上記トレイ飾りをその幅方向で挟む幅方向位置決めリブと、上記トレイ飾りを上記幅方向に直交する高さ方向で挟む高さ方向位置決めリブとに分かれている請求項１に記載したキャビネットとトレイ飾りとの組合せ構造。
【請求項３】
上記トレイ飾りが高さ方向よりも幅方向に長い矩形状に形成されていて、上記高さ方向位置決めリブが、上記トレイ飾りの幅方向一端部と幅方向他端部との２箇所に対応して設けられている請求項２に記載したキャビネットとトレイ飾りとの組合せ構造。
【請求項４】
上記トレイ飾りが高さ方向よりも幅方向に長い矩形状に形成されていて、上記位置合わせ手段が、上記トレイ飾りの幅方向の一端部と他端部とに各別に設けられて上記開口窓に嵌まり込むことにより上記トレイ飾りの高さ方向で相対向している上記底壁の内側端縁によって個別に挟まれる一対の板片部と、これら一対の板片部に各別に設けられて上記開口窓に嵌まり込むことにより上記トレイ飾りの幅方向で相対向している上記底壁の内側端縁によって挟まれる一対の膨出部と、を有する請求項１に記載したキャビネットとトレイ飾りとの組合せ構造。
【請求項５】
上記トレイ飾りが高さ方向よりも幅方向に長い矩形状に形成されていて、上記位置合わせ手段が、トレイ飾りの上記縁枠部の内面によって矩形環状に形成された後拡がりの傾斜面と、上記開口窓の幅方向の一端部と他端部とに各別に設けられて外向きに突き出た一対の突片部とを有し、一対の上記突片部が、トレイ飾りの幅方向で相対向する上記傾斜面の一対の面部によって挟まれ、かつ、一対の上記突片部が、トレイ飾りの高さ方向で相対向する上記傾斜面の一対の面部によって挟まれるようになっている請求項１に記載したキャビネットとトレイ飾りとの組合せ構造。
【請求項６】
上記トレイ飾りの幅方向で相対向する上記傾斜面の一対の面部に、一対の上記突片部に当接する膨出部が形成されている請求項５に記載したキャビネットとトレイ飾りとの組合せ構造。
【発明の詳細な説明】
【技術分野】
【０００１】
本発明は、キャビネットの凹入部に開口窓が形成され、そのキャビネットに収容されているＤＶＤローダのようなローダのディスクトレイが上記開口窓に進退移動可能に挿入されていて、しかも、ディスクトレイの前端部に取り付けられているトレイ飾りが、ディスクトレイの後退移動を通じて上記凹入部に嵌まり込むように構成されているキャビネットとトレイ飾りとの組合せ構造に関する。特に、上記凹入部にトレイ飾りが嵌まり込んでいるときに、そのトレイ飾りが凹入部の中央に位置合わせされると共に、キャビネット内で発生した騒音が上記開口窓の外側へ漏れ出すことを抑制する対策を講じたキャビネットとトレイ飾りとの組合せ構造に関する。
【背景技術】
【０００２】
記録媒体としてのディスクを光学的に処理する機能を有するＤＶＤローダなどのローダは、ディスクを光学的に処理するためのディスクセット位置に対して前進及び後退の各移動を行うディスクトレイを備えている。また、このようなローダを収容しているキャビネットには開口窓が設けられていて、その開口窓を通してディスクトレイが内方への前進移動と外方への後退移動とを行うように構成されている。
【０００３】
図１はこの種のキャビネットの要部とディスクトレイとの取り合わせを示した概略斜視図である。ローダを収容しているキャビネットは高さ方向Ｈよりも幅方向Ｗに長い横長偏平の箱体でなる。一般的なこの種のキャビネットは、フロントパネルとボトムシャーシとトップケースとを合わせることにより箱形に形成されている。
【０００４】
図１には、キャビネットを構成要素であるフロントパネルを符号１で示してあり、キャビネットに収容されているローダのディスクトレイを符号５で示してあって、上記したボトムシャーシやトップケースは図示省略されている。また、ディスクトレイ５が組み付けられているローダも図示省略されている。
【０００５】
同図のように、ディスクトレイ５は、フロントパネル１に設けられている開口窓２１を通して矢印Ｙ１で示した外方への前進移動と矢印Ｙ２で示した内方への後退移動とが可能である。そして、開口窓２１の外側へ矢印Ｙ１のように前進移動してきたディスクトレイ５に対してディスクを載架したりディスクトレイ５からディスクを取り出したりすることが行われる。さらに、ディスクが載架されたディスクトレイ５は、開口窓２１を通して矢印Ｙ２方向に後退移動してそのディスクをディスクセット位置まで搬入する。
【０００６】
開口窓２１は、フロントパネル１に設けられた凹入部２に形成されている。具体的には、開口窓２１は、凹入部２の矩形環状の底壁２２により取り囲まれて横長矩形に形作られている。
【０００７】
ディスクトレイ５には、その前端部を覆う形態で横長のトレイ飾り６が取り付けられていて、ディスクトレイ５が開口窓２１の内方へ矢印Ｙ２のように後退移動してディスクをディスクセット位置に搬入したときに、トレイ飾り６が凹入部２に嵌まり込んで開口窓２１を外側から塞ぐようになっている。また、このトレイ飾り６は、凹入部２に嵌まり込んで開口窓２１を見えなくすることにより、キャビネットの外観の見栄えを向上させることに役立っている。
【０００８】
トレイ飾り６をディスクトレイ５と一体に成形することなく、それを別体としてディスクトレイ５の前端部に取り付けてある理由は、トレイ飾り６が、凹入部２に嵌まり込むことができるけれども開口窓２１を通過し得ないサイズを有していることによる。すなわち、トレイ飾り６が開口窓２１を通過し得ないサイズを有していることにより、ディスクトレイ５を備えるローダをキャビネットに装着する前にトレイ飾りをディスクトレイ５に取り付けると、そのトレイ飾り６を凹入部２の外側に配備することができない。そこで、ローダをキャビネットに装着した後に、開口窓２１の外側へ突き出したディスクトレイ５の前端部にトレイ飾り６を装着する必要があることによる。
【０００９】
ところで、上記したようにフロントパネル１の凹入部２にトレイ飾り６が嵌まり込んでいるときに、トレイ飾り６が、凹入部２内で傾いていたり凹入部２内で偏って位置していたりすると、それが目立ってキャビネットの外観品位が低下する。
【００１０】
また、キャビネットに収容されているローダは、ディスクを回転させるためのモータのほか、ディスクトレイや光ピックアップといった必要な多くの可動部品を備えているので、ローダの動作モードでは一定の動作音や振動が発生する。このようなローダの動作音がフロントパネル１の開口窓２１から漏れ出すと、ユーザにとってはその音が騒音になってしまって不快感を感じることがある。さらに、ローダの動作モードで発生した振動がトレイ飾り６などに伝わって所謂ビビリ音を生じ、そのびびり音がユーザにとっては騒音になって不快感を感じることもある。
【００１１】
この点に関し、ローダが動作モードに設定されているときには、凹入部２に嵌まり込んでいるトレイ飾り６によって開口窓２１が見えないように塞がれているために、その開口窓２１からの音漏れがトレイ飾り６によってある程度は抑制されるということが云える。しかし、開口窓２１を形作っている凹入部２の底壁２２と開口窓２１を塞いでいるトレイ飾り６との間には隙間が存在するために、その隙間からの音漏れやビビリ音の発生を防ぐことはできない。そこで、隙間を存在させないようにトレイ飾り６を凹入部２の底壁２２に面接触させておくと、ディスクトレイ５が限界位置まで後退移動して開口窓２１をトレイ飾り６が閉じ切ったときに、ローダに大きな負担が加わることになるので好ましくない。
【００１２】
一方、ディスクトレイ５の前端部に対するトレイ飾り６の取付け構造として、トレイ飾り６をディスクトレイ５の前端部に動かないように固定した構造が従来より知られている（たとえば、特許文献１参照）。この特許文献１には、開口窓の口縁部分やトレイ飾り（トレイパネル）が開口窓を有する凹入部に嵌まり込むときに、そのトレイ飾りを凹入部の中央に誘導してセンタリングを行うための位置規制部を設けることが記載されている。
【特許文献１】特開２００６−１３４４１４号公報
【発明の開示】
【発明が解決しようとする課題】
【００１３】
しかしながら、特許文献１のように、凹入部に嵌まり込むトレイ飾りを誘導してそのセンタリングを行うだけでは、開口窓２１を形作っている凹入部２の底壁２２と開口窓２１を塞いでいるトレイ飾り６との間に存在する隙間からの音漏れを防いだりビビリ音の発生を防いだりすることはできないという問題がある。
【００１４】
また、特許文献１のように、トレイ飾り６をディスクトレイ５の前端部に動かないように固定してあるものでは、ローダにおけるディスクトレイ５の組付け部分に不可避的に存在する組付けガタを利用してディスクトレイ５に取り付けられたトレイ飾り６をキャビネットの凹入部の中央に位置合わせさせることが必要になる。そのため、上記の組付けガタによって吸収することのできる範囲内でのみトレイ飾り６を凹入部２の中央に位置合わせすることできるに過ぎないという不都合もある。
【００１５】
本発明は以上の状況に鑑みてなされたものであり、キャビネットの凹入部に嵌まり込んだトレイ飾りを凹入部の中央に位置合わせしてキャビネットの外観品位を向上させることができるだけでなく、位置合わせのためのトレイ飾りの変位可能幅が、ローダにおけるディスクトレイの組付けガタの程度に依存しにくくなり、しかも、開口窓からの音漏れやビビリ音の発生を無理なく抑制することができ、しかも、開口窓をトレイ飾りが閉じ切ったときのローダの負担が軽減されるキャビネットとトレイ飾りとの組合せ構造を提供することを目的とする。
【課題を解決するための手段】
【００１６】
本発明に係るキャビネットとトレイ飾りとの組合せ構造は、前後方向に進退可能なディスクトレイを備えるローダを収容したキャビネットに設けられている凹入部に、その凹入部の矩形環状の底壁により取り囲まれて形作られている開口窓が具備され、その開口窓を通して外方への前進移動と内方への後退移動とが可能な上記ディスクトレイにその前端部を覆う形態でトレイ飾りが取り付けられ、上記ディスクトレイが内方に向けて後退移動を行うことにより上記凹入部に上記トレイ飾りが嵌まり込むように構成されている。ここで、ディスクトレイの外方への前進移動方向は、ローダからディスクトレイが突き出す方向である前方に一致し、ディスクトレイの内方への後退移動方向は、ローダにディスクトレイが引き込まれる方向である後方に一致している。
【００１７】
そして、この発明では、上記トレイ飾りが、上記ディスクトレイに対して全方位に向けて変位可能に、かつ、ディスクトレイの前端部に近付く方向に常時弾発付勢された状態で取り付けられている。ここで、「トレイ飾りが、ディスクトレイに対して全方位に向けて変位可能に取り付けられている」とは、トレイ飾りが、ディスクトレイの前進移動方向及び後退移動方向（前後方向）に対して垂直で、かつ、互いに直交する２軸方向（幅方向及び高さ方向）に変位可能であることは勿論、それら以外の任意の方向にも変位可能であることを意味している。また、「トレイ飾りが、ディスクトレイの前端部に近付く方向に常時弾発付勢された状態で取り付けられている」とは、たとえばばね力によってトレイ飾りがディスクトレイの前端部に近付く方向に常時弾発付勢されていることを意味している。
【００１８】
さらに、この発明では、凹入部に嵌まり込んだ上記トレイ飾りを上記凹入部の中央に位置合わせするための位置合わせ手段を備えていることに加えて、上記トレイ飾りの外周囲に上記ディスクトレイの後退移動方向に突き出た矩形環状の縁枠部が設けられ、上記底壁に、上記凹入部に嵌まり込んでその中央に位置合わせされたトレイ飾りの上記縁枠部が突き当たることにより、その縁枠部との隙間からの音漏れを抑制する機能を備えたクッション材が重ね合わされている。
【００１９】
この発明によると、凹入部に嵌まり込んだトレイ飾りがその凹入部の中央に位置合わせされるために、凹入部内でトレイ飾りが傾いたり偏ったりすることに伴うキャビネットの外観品位の低下が起こらない。また、凹入部に嵌まり込んだトレイ飾りによって開口窓が塞がれ、しかも、トレイ飾りの矩形環状の縁枠部が、凹入部の底壁に重ね合わされているクッション材に突き当たることにより開口窓からの音漏れが抑制され、しかも、トレイ飾りと凹入部の底壁との間に隙間が存在しなくなって、そのような隙間からの音漏れも抑制される。さらに、クッション材にトレイ飾りの矩形環状の縁枠部が突き当たっていると、ビビリ音も発生しにくくなるほか、クッション材の弾力性により、開口窓をトレイ飾りが閉じ切ったときのローダの負担が軽減されるという作用も奏される。
【００２０】
本発明において、上記位置合わせ手段には種々の構成を採用することが可能である。
【００２１】
たとえば、位置合わせ手段が、樹脂成形体でなる上記キャビネットと一体に成形されて上記凹入部内に位置している複数のリブを有し、複数の上記リブが、上記トレイ飾りをその幅方向で挟む幅方向位置決めリブと、上記トレイ飾りを上記幅方向に直交する高さ方向で挟む高さ方向位置決めリブとに分かれているという構成を採用することが可能である。そして、この場合には、上記トレイ飾りが高さ方向よりも幅方向に長い矩形状に形成されていて、上記高さ方向位置決めリブが、上記トレイ飾りの幅方向一端部と幅方向他端部との２箇所に対応して設けられている、という構成を採用することが望ましい。
【００２２】
また、上記トレイ飾りが高さ方向よりも幅方向に長い矩形状に形成されていて、上記位置合わせ手段が、上記トレイ飾りの幅方向の一端部と他端部とに各別に設けられて上記開口窓に嵌まり込むことにより上記トレイ飾りの高さ方向で相対向している上記底壁の内側端縁によって個別に挟まれる一対の板片部と、これら一対の板片部に各別に設けられて上記開口窓に嵌まり込むことにより上記トレイ飾りの幅方向で相対向している上記底壁の内側端縁によって挟まれる一対の膨出部と、を有する、という構成を採用することも可能である。
【００２３】
さらに、上記トレイ飾りが高さ方向よりも幅方向に長い矩形状に形成されていて、上記位置合わせ手段が、トレイ飾りの上記縁枠部の内面によって矩形環状に形成された後拡がりの傾斜面と、上記開口窓の幅方向の一端部と他端部とに各別に設けられて外向きに突き出た一対の突片部とを有し、一対の上記突片部が、トレイ飾りの幅方向で相対向する上記傾斜面の一対の面部によって挟まれ、かつ、一対の上記突片部が、トレイ飾りの高さ方向で相対向する上記傾斜面の一対の面部によって挟まれるようになっている、という構成を採用することも可能である。この場合には、上記トレイ飾りの幅方向で相対向する上記傾斜面の一対の面部に、一対の上記突片部に当接する膨出部が形成されていることが望ましい。
【発明の効果】
【００２４】
以上のように、本発明によれば、キャビネットの凹入部にトレイ飾りが嵌まり込んでいるときに、そのトレイ飾りが凹入部の中央に位置合わせされるために、トレイ飾りが凹入部内で傾いたり偏ったりすることによるキャビネットの外観品位の低下が起こり得なくなり、優れた外観品位をキャビネットに付与することが可能である。
【００２５】
また、キャビネットの凹入部にトレイ飾りが嵌まり込んでいるときには、トレイ飾りの縁枠部が、開口窓を形作っている凹入部の底壁に重ね合わされたクッション材に突き当たるため、開口窓からの音漏れが抑制されることは勿論、トレイ飾りと凹入部の底壁との間の隙間からの音漏れをも抑制されるようになる。さらに、ビビリ音も抑制されるようになるほか、クッション材の弾力性により、開口窓をトレイ飾りが閉じ切ったときのローダの負担も軽減される。
【００２６】
また、トレイ飾りがディスクトレイの前端部に全方位に向けて変位可能に、かつ、ディスクトレイの前端部に近付く方向に常時弾発付勢された状態で取り付けられていることにより、凹入部に嵌まり込んだトレイ飾りの凹入部内での変位可能幅が、ローダにおけるディスクトレイの組付けガタの程度に依存しなくなるので、キャビネットに対するローダの取付け位置精度などを高度に定める必要がなくなり、それだけ組立て効率などを向上させやすくなるという利点がある。
【発明を実施するための最良の形態】
【００２７】
図２は本発明の第１実施形態に係るキャビネットの概略正面図、図３は図２の要部の拡大図、図４は図２の要部の概略拡大斜視図である。また、図５はトレイ飾りが凹入部に嵌まり込んでいるときの図３のＶ−Ｖ線に沿う部分の拡大断面図、図６はトレイ飾りが凹入部に嵌まり込んでいるときの図３のＶＩ−ＶＩ線に沿う部分の一部省略拡大断面図である。
【００２８】
この実施形態に係るキャビネットは、高さ方向Ｈよりも幅方向Ｗに長い偏平横長の箱体でなり、フロントパネル１とボトムシャーシとトップケースとを合わせることにより箱形に形成されている。フロントパネル１には、幅方向Ｗに長い正面視矩形の凹入部２が形成されていて、この凹入部２の底壁２２を矩形環状に形成することにより、その底壁２２によって幅方向Ｗに長い矩形の開口窓２１が形作られている。そして、図４に示されているように、底壁２２の前面にクッション材３が接着剤で重なり状に貼り付けられている。このクッション材３には、柔軟性を有する発泡樹脂やゴム、布、不織布などを用い得る。
【００２９】
図１５は、キャビネットに収容されるローダのディスクトレイ５を仮想線で示し、そのディスクトレイ５の前端部に取り付けられているトレイ飾り６を水平断面図で示した説明図である。トレイ飾り６は取付け用フレーム７を有し、その取付け用フレーム７に対してトレイ飾り６が全方位に向けて変位可能に、かつ、取付け用フレーム７に近付く方向に常時弾発付勢された状態で取り付けられている。具体的には、取付け用フレーム７に設けられている２箇所の孔部７１，７１に、トレイ飾り６の２箇所に設けられた支軸６１，６１が挿通されていて、それらの支軸６１，６１に設けられている鍔部６２，６２と取付け用フレーム７との間にコイルばね７２が圧縮状態で介在されている。そして、孔部７１の直径が支軸６１の直径よりも十分に大きなサイズを有していて、この孔部７１内では支軸６１が任意の方向に変位及び揺動可能になっている。
【００３０】
取付け用フレーム７は、ディスクトレイ５の前端部に動かないように固定されている。取付け用フレーム７をディスクトレイ５の前端部に固定する手段には、嵌合による固定、ビス止めによる固定、接着剤による接合といった任意の固定手段を採用することができる。以上より、取付け用フレーム７を介して、トレイ飾り６が、ディスクトレイ５の前端部に、ディスクトレイ５に対して全方位に向けて変位可能に、かつ、ディスクトレイ５の前端部に近付く方向に常時弾発付勢された状態で取り付けられていることになる。
【００３１】
図５又は図６によって判るように、トレイ飾り６は、横長のフレーム枠６３とこのフレーム枠６３に固定された横長の化粧パネル６７とを備えていて、フレーム枠６３の全体が化粧パネル６７によって前側から覆われている。また、フレーム枠６３の外周囲にはディスクトレイ５の後退移動方向（図５及び図６に矢印Ｙ２で示してある）に突き出た矩形環状のリブ６４が設けられていると共に、化粧パネル６７の上下の辺部にもディスクトレイ５の後退移動方向Ｙ２に突き出たリブ６８が設けられていて、そのリブ６８がフレーム枠６３のリブ６４の上下の辺部を外側から覆っている。そして、フレーム枠６３と化粧パネル６７とのそれぞれに設けられている上記リブ６４，６８が、トレイ飾り６に具備されてディスクトレイ５の後退移動方向Ｙ２に突き出た矩形環状の縁枠部６０を形成している。
【００３２】
以上の構成を有するキャビネットとトレイ飾りとの組合せ構造において、ディスクトレイ５が外方に向けて前進移動を行うと、トレイ飾り６が凹入部２から出てその前方に移動する。また、ディスクトレイ５が内方に向けて後退移動を行うと、トレイ飾り６が凹入部２に嵌まり込み、図５及び図６に示したように、トレイ飾り６の縁枠部６０、具体的には縁枠部６０の頂部がクッション材３に突き当たる。この実施形態では、トレイ飾り６の縁枠部６０のうち、フレーム枠６３のリブ６４についてはそのフレーム枠６３の幅方向の両側に位置する部分だけがクッション材３に突き当たり（図６参照）、化粧パネル６７の上下のリブ６８についてはその両方がクッション材３に突き当たるように構成されている（図５参照）。
【００３３】
このように、凹入部２に嵌まり込んだトレイ飾り６の縁枠部６０がクッション材３に突き当たっていると、縁枠部６０と凹入部２の底壁２２との間に隙間が存在しなくなる。そのため、そのような隙間に起因する音漏れやビビリ音の発生が抑制される。また、縁枠部６０が突き当たったクッション材３がその弾力性により圧縮されて、ディスクトレイ５に後退移動力を付与しているローダの負担が軽減する。
【００３４】
ところで、この実施形態では、上記したように、トレイ飾り６が、ディスクトレイ５の前端部に、ディスクトレイ５に対して全方位に向けて変位可能に、かつ、ディスクトレイ５の前端部に近付く方向に常時弾発付勢された状態で取り付けられている。そのため、凹入部２に嵌まり込んだトレイ飾り６をその凹入部６の中央に位置合わせするための位置合わせ手段を設けておかなければ、トレイ飾り６が凹入部２内で傾いたり偏ったりしてキャビネットの外観品位を低下させてしまうおそれが多分にある。
【００３５】
そこで、この実施形態では、凹入部２に嵌まり込んだトレイ飾り６を凹入部２の中央に位置合わせするための位置合わせ手段を具備させてある。この実施形態で採用している位置合わせ手段を次に説明する。
【００３６】
位置合わせ手段は、樹脂成形体でなるフロントパネル１に一体に成形されて凹入部２内に位置している複数のリブを有している。そして、それらのリブが、図２〜図４又は図６に示してある幅方向位置決めリブ８１、すなわち、凹入部２の幅方向Ｗの両側に位置している矩形環状の底壁２２の左右の辺部に設けられている２つの幅方向位置決めリブ８１，８１と、図２〜図４又は図５に示している高さ方向位置決めリブ８２、すなわち、凹入部２の高さ方向Ｈの両側に位置している底壁２２の上下の辺部に設けられた２つの高さ方向位置決めリブ８２，８２とに分かれている。そして、上記した左右２つの幅方向位置決めリブ８１，８１の相互間隔が、トレイ飾り６を形成しているフレーム枠６３の横幅寸法と同等に定められているのに対し、上記した上下２つの高さ方向位置決めリブ８２，８２の相互間隔が、トレイ飾り６を形成している化粧パネル６７の高さ寸法と同等に定められている。なお、幅方向位置決めリブ８１や高さ方向位置決めリブ８２には、ディスクトレイ５が後退移動したときにトレイ飾り６を凹入部２の中央に誘導するためのガイド機能が付与されている。そのガイド機能は、幅方向位置決めリブ８１や高さ方向位置決めリブ８２のコーナ（図４に符号Ｃで示してある）を湾曲状に形成することによって付与されている。
【００３７】
したがって、トレイ飾り６が凹入部２に嵌まり込むと、トレイ飾り６がその幅方向Ｗで左右２つの幅方向位置決めリブ８１，８１によって挟まれると共に、その高さ方向Ｈで上下２つの高さ方向位置決めリブ８２，８２によっても挟まれる。この実施形態では、幅方向位置決めリブ８１や高さ方向位置決めリブ８２が、トレイ飾り６を凹入部２の中央で左右及び上下の各方向で挟むように、それらのリブ８１，８２の位置を定めてある。したがって、この実施形態によると、凹入部２に嵌まり込んだトレイ飾り６は、幅方向位置決めリブ８１及び高さ方向位置決めリブ８２によって凹入部６の中央に位置合わせされる。そして、そのようにトレイ飾り６が凹入部６の中央に位置合わせされていると、トレイ飾り６が傾いたり偏ったりすることによるキャビネットの外観品位の低下を生じる余地がなくなり、キャビネットに高い外観品位が付与される。
【００３８】
特に、この実施形態では、トレイ飾り６が高さ方向Ｈよりも幅方向Ｗに長い矩形状に形成されていて、トレイ飾り６の高さ寸法が幅寸法に比べて極端に短いことを考慮して、高さ方向位置決めリブ８５を、トレイ飾り６の幅方向一端部と幅方向他端部との２箇所に対応させて設けているのに対し、幅方向位置決めリブ８１をトレイ飾り６の高さ方向中央部の１箇所に対応させて設けてある。こうしておくと、位置合わせ手段を構成するリブの必要数を最少限度に抑えてトレイ飾り６を凹入部２の中央に確実に位置合わせ（センタリング）することができるようになるという利点がある。
【００３９】
なお、この実施形態では、図６のように、幅方向位置決めリブ８１がトレイ飾り６のフレーム枠６３のリブ６４の外面に当接する構成を採用してあるけれども、この点は、幅方向位置決めリブ８１の底壁２２からの立上り高さを高くすることによって、その幅方向位置決めリブ８１がトレイ飾り６の化粧パネル６３の幅方向端面に当接する構成にすることも可能である。
【００４０】
図１５を参照して説明したように、この実施形態では、トレイ飾り６がディスクトレイ５に対して全方位に向けて変位可能に、かつ、ディスクトレイの前端部に近付く方向に常時弾発付勢された状態で取り付けられている。そのため、上記した幅方向位置決めリブ８１や高さ方向位置決めリブ８２の作用によってトレイ飾り６が凹入部２内の中央に位置合わせされるときに、そのトレイ飾り６の変位可能幅が、ローダでのディスクトレイ５の組付けガタなどに依存しなくなって、その変位可能幅が比較的大きく確保される。このことは、キャビネットに対するローダの取付け位置精度などを高度に定める必要がなくなることを意味するので、それだけ組立て作業性を向上させやすくなるという利点がある。
【００４１】
図７は本発明の第２実施形態に係るトレイ飾りを後面側から見た概略斜視図、図８は同第２実施形態に係るフロントパネルの凹入部の構成を示した横断平面図、図９はトレイ飾りが凹入部に嵌まり込んでいるときの垂直拡大断面図、図１０はトレイ飾りが凹入部に嵌まり込んでいるときの一部省略横断拡大断面図である。
【００４２】
この第２実施形態を上記した第１実施形態と対比すると、トレイ飾り６が、取付け用フレーム７を介し、ディスクトレイ５に対して全方位に向けて変位可能に、かつ、ディスクトレイ５の前端部に近付く方向に常時弾発付勢された状態で取り付けられている点、フロントパネル１の凹入部２に嵌まり込んだトレイ飾り６の矩形環状の縁枠部６０が、凹入部２の矩形環状の底壁２２に接着剤で接合されて重ね合わされているクッション材３に突き当たって音漏れやビビリ音の発生が抑制される点などで共通している。また、トレイ飾り６は、高さ方向Ｈよりも幅方向Ｗに長い矩形状に形成されているフレーム枠６３とそのフレーム枠６３に固定されている化粧パネル６７とを備えていて、横長のフレーム枠６３の全体が化粧パネル６７によって前側から覆われている。また、フレーム枠６３の外周囲にはディスクトレイ５の後退移動方向（図９及び図１０に矢印Ｙ２で示してある）に突き出た矩形環状のリブ６４が設けられていると共に、化粧パネル６７の上下の辺部にもディスクトレイ５の後退移動方向Ｙ２に突き出たリブ６８が設けられていて、そのリブ６８がフレーム枠６３のリブ６４の上下の辺部を外側から覆っている。そして、フレーム枠６３と化粧パネル６７とのそれぞれに設けられている上記リブ６４，６８が、トレイ飾り６に具備されてディスクトレイ５の後退移動方向Ｙ２に突き出た矩形環状の縁枠部６０を形成している。この点も上記した第１実施形態と同様である。
【００４３】
しかし、凹入部２に嵌まり込んだトレイ飾り２を、凹入部２内でその中央に位置合わせするための位置合わせ手段の具体的構成が第１実施形態とは相違している。したがって、以下では、主に位置合わせ手段について説明する。
【００４４】
図７のように、トレイ飾り６を形成しているフレーム枠６３の幅方向Ｗの一端部と他端部とに一対の板片部８４，８４が設けられている。これらの板片部８４は、樹脂成形体でなるフレーム枠６３と一体に成形されていて、そのフレーム枠６３から後方へ突き出ている。そして、それらの各板片部８４の外面側に、それらの板片部８４の突出方向（後方）に延びる一対の膨出部８５，８５が各別に形成されている。これに対し、図８のように、フロントパネル１の凹入部２には、その底壁２２の内周囲から後方に突き出た矩形環状の枠部２３が一体に形成されている。
【００４５】
そして、トレイ飾り６が凹入部２に嵌まり込むと、開口窓２１に一対の板片部８４，８４のそれぞれが嵌まり込み、図９のように個々の板片部８４が高さ方向Ｈで相対向している底壁２２の内側端縁２２ａ，２２ａによって個別に挟まれて、高さ方向Ｈで位置合わせ（位置決め）される。なお、この実施形態では、上記したように底壁２２の内周囲から後方に矩形環状の枠部２３を突き出させてあるので、高さ方向Ｈで対向している底壁２２の内側端縁２２ａ，２２ａによって挟まれた板片部８４が、枠部２３にも嵌まり込んでそのぐらつきが防止されるという利点がある。また、一対の板片部８４，８４に各別に設けられている膨出部８５も、図１０のように開口窓２１に嵌まり込み、幅方向Ｗで相対向している底壁２２の内側端縁２２ｂ，２２ｂによって挟まれて、幅方向Ｗで位置合わせ（位置決め）される。この実施形態では、上記同様に、底壁２２の内周囲から後方に矩形環状の枠部２３を突き出させてあるので、幅方向Ｗで対向している底壁２２の内側端縁２２ｂ，２２ｂによって挟まれた板片部８４が、枠部２３にも嵌まり込んでそのぐらつきが防止されるようになっている。
【００４６】
以上によって判るように、この第２実施形態では、位置合わせ手段は、トレイ飾り６の幅方向Ｗの一端部と他端部とに各別に設けられた一対の板片部８４，８４と、これら一対の板片部８４，８４に各別に設けられた膨出部８５とによって形成されている。そして、板片部８４は、トレイ飾り６のフレーム枠６３と樹脂で一体成形され、膨出部８５は板片部８４に樹脂で一体成形されているので、部品点数の増大を来すことなく位置合わせ手段を形成することのできる利点がある。
【００４７】
この第２実施形態によっても、凹入部２に嵌まり込んだトレイ飾り６は上記した位置合わせ手段の作用によって凹入部２に対して位置合わせされている。そのため、一対の板片部８４，８４や一対の膨出部８５，８５が、トレイ飾り６のフレーム枠６３に左右対称に形成されていて、凹入部２の中央に開口窓２１が形成されている場合には、凹入部２に嵌まり込んだトレイ飾り６がその凹入部２の中央に位置合わせされて、トレイ飾り６が傾いたり偏ったりすることによるキャビネットの外観品位の低下を生じる余地がなくなり、キャビネットに高い外観品位が付与される。
【００４８】
特に、この実施形態では、トレイ飾り６が高さ方向Ｈよりも幅方向Ｗに長い矩形状に形成されていて、トレイ飾り６の高さ寸法が幅寸法に比べて極端に短いことを考慮して、一対の板片部８４，８４を、トレイ飾り６のフレーム枠６３の幅方向一端部と幅方向他端部との２箇所に対応させて設けてあるので、位置合わせ手段を構成する板片部８４や膨出部８５の必要数を最少限度に抑えてトレイ飾り６を凹入部２の中央に確実に位置合わせすることができるようになるという利点がある。
【００４９】
その他の構成や作用は、第１実施形態で説明したところと同様であるので、説明を省略して説明の重複を避けることにする。
【００５０】
図１１は本発明の第３実施形態に係るトレイ飾りを後面側から見た概略斜視図、図１２は同第２実施形態に係るフロントパネルの概略正面図、図１３はトレイ飾りが凹入部に嵌まり込んでいる状態での図１２のＸＩＩＩ−ＸＩＩＩ線に沿う部分の拡大断面図、図１４はトレイ飾りが凹入部に嵌まり込んでいる状態での図１２のＸＩＶ−ＸＩＶ線に沿う部分の一部省略拡大断面図である。
【００５１】
この第３実施形態を上記した第１実施形態と対比すると、トレイ飾り６が、取付け用フレーム７を介し、ディスクトレイ５に対して全方位に向けて変位可能に、かつ、ディスクトレイ５の前端部に近付く方向に常時弾発付勢された状態で取り付けられている点、フロントパネル１の凹入部２に嵌まり込んだトレイ飾り６の矩形環状の縁枠部６０が、凹入部２の矩形環状の底壁２２に接着剤で接合されて重ね合わされているクッション材３に突き当たって、音漏れやビビリ音の発生が抑制されている点などで共通している。また、トレイ飾り６は、高さ方向Ｈよりも幅方向Ｗに長い矩形状に形成されているフレーム枠６３とそのフレーム枠６３に固定されている化粧パネル６７とを備えていて、横長のフレーム枠６３の全体が化粧パネル６７によって前側から覆われている。また、フレーム枠６３の外周囲にはディスクトレイ５の後退移動方向（図１３及び図１４に矢印Ｙ２で示してある）に突き出た矩形環状のリブ６４が設けられていると共に、化粧パネル６７の上下の辺部にもディスクトレイ５の後退移動方向Ｙ２に突き出たリブ６８が設けられていて、そのリブ６８がフレーム枠６３のリブ６４の上下の辺部を外側から覆っている。そして、フレーム枠６３と化粧パネル６７とのそれぞれに設けられている上記リブ６４，６８が、トレイ飾り６に具備されてディスクトレイ５の後退移動方向Ｙ２に突き出た矩形環状の縁枠部６０を形成している。これらの点も上記した第１実施形態と同様である。
【００５２】
しかし、凹入部２に嵌まり込んだトレイ飾り２を、凹入部２内でその中央に位置合わせするための位置合わせ手段の具体的構成が第１実施形態とは相違している。したがって、以下では、主に位置合わせ手段について説明する。
【００５３】
図１３や図１４に示されているように、トレイ飾り６のフレーム枠６３に設けられている矩形環状のリブ６４は、その内面が矩形環状の後拡がりの傾斜面６５として形成されている。したがって、トレイ飾り６の縁枠部６０の内面が後拡がりの傾斜面６５として形成されていることになる。これに対し、フロントパネル１側には、図１２や図１３、図１４に示されているように、凹入部２の開口窓２１の幅方向Ｗの一端部と他端部とに各別に一対の突片部２６，２６が設けられていて、これらの突片部２６，２６が凹入部２内で外向きに突き出ている。
【００５４】
そして、トレイ飾り６が凹入部２に嵌まり込むと、図１４のように、一対の突片部２６，２６が、幅方向Ｗで相対向する矩形環状の傾斜面６５の一対の面部６５ａ，６５ａによって挟まれて、トレイ飾り６が幅方向Ｗで位置合わせ（位置決め）されるようになっている。また、図１３のように、突片部２６が、高さ方向Ｈで相対向する矩形環状の傾斜面６５の一対の面部６５ｂ，６５ｂによって挟まれて、トレイ飾り６が高さ方向Ｈで位置合わせ（位置決め）されるようになっている。
【００５５】
以上によって判るように、この第３実施形態では、位置合わせ手段は、トレイ飾り６の縁枠部６０の内面によって形成された後拡がりの傾斜面６５と、凹入部２に設けられている一対の突片部２６とによって形成されている。そして、突片部２６は、樹脂成形体でなるフロントパネル１に樹脂で一体成形されているので、部品点数の増大を来すことなく位置合わせ手段を形成することのできる利点がある。
【００５６】
特に、この第３実施形態では、図１４に示したように、トレイ飾り６の幅方向Ｗで相対向する傾斜面６５の一対の面部６５ａ，６５ａに膨出部６６，６６を形成してあり、これらの膨出部６６，６６が一対の上記突片部２６，２６に当接するように構成してある。こうしておくと、一対の突片部２６，２６が一対の面部６５ａ，６５ａの相互杆に嵌まりやすくなって、しかも、トレイ飾り６が、がたつきなく位置決めされるようになるという利点がある。
【００５７】
この第３実施形態によっても、凹入部２に嵌まり込んだトレイ飾り６は上記した位置合わせ手段の作用によって凹入部２に対して位置合わせされている。そして、一対の突片部２６，２６と、幅方向Ｗで相対向する一対の面部６５ａ，６５ａと、高さ方向Ｈで相対向する一対の面部６５ｂ，６５ｂが、トレイ飾り６のフレーム枠６３や凹入部２に左右対称及び上下対称に形成されている。そのため、凹入部２の中央に開口窓２１が形成されている場合には、凹入部２に嵌まり込んだトレイ飾り６がその凹入部２の中央に位置合わせされて、トレイ飾り６が傾いたり偏ったりすることによるキャビネットの外観品位の低下を生じる余地がなくなり、キャビネットに高い外観品位が付与される。
【００５８】
その他の構成や作用は、第１実施形態で説明したところと同様であるので、説明を省略して説明の重複を避けることにする。
【００５９】
以上説明した第１〜第３の各実施形態について位置合わせ手段を対比する。
【００６０】
第１実施形態では、位置合わせ手段を形成している幅方向位置決めリブ８１と高さ方向位置決めリブ８２とが、フロントパネル１の凹入部２内でその周囲に設けられている。そして、トレイ飾り６が凹入部２に嵌まり込んでいるときには、それらの幅方向位置決めリブ８１と高さ方向位置決めリブ８２とがキャビネットの正面から見えてしまうことになる（現象Ａ）。また、トレイ飾り６の上下両面や左右の側面に、上記した幅方向位置決めリブ８１と高さ方向位置決めリブ８２との擦り跡が残ることがあるので、その場合は、ディスクトレイ５が前進移動したときにその擦り跡が見えてしまうことになる（現象Ｂ）。
【００６１】
これに対し第２実施形態では、位置合わせ手段が、開口窓２１に嵌まり込む一対の板片部８４と、それらの板片部８４に設けられて開口窓２１に嵌まり込む一対の膨出部８５とを有しているだけである。また、板片部８４や膨出部８５は、凹入部２の底壁２２の内側端縁２２ａ，２２ｂと擦れ合うだけである。そのため、第１実施形態について説明した上記のような現象Ａや現象Ｂは生じず、板片部８４や膨出部８５に残った擦れ跡も目立つことはない。この点は、第３実施形態の位置合わせ手段についても同様のことが云える。
【００６２】
また、第１〜第３の各実施形態では、凹入部２の底壁２２にクッション材３を貼り付けている。この構成を採用した場合、組立て工程でクッション材３が開口窓２１にはみ出して貼り付けられてしまうという状況の起こることが皆無であるとはいえない。しかし、各実施形態では、組立て工程でクッション材３が開口窓２１にはみ出して貼り付けられてしまったとしても、そのことが、トレイ飾り６の位置合わせ作用の障害になることはほとんどない。
【００６３】
以上の説明では、幅方向Ｗと高さ方向Ｈとを、キャビネットのほか、トレイ飾り６や開口窓２１、その他の要素にも共通に適用してある。したがって、トレイ飾り６やその他の要素の幅方向と高さ方向とを、いずれも符号Ｗ，Ｈで示してある。
【００６４】
また、図１〜図１５では、説明の便宜上、同一の要素又は相応する要素に同一の符号を付してある。
【図面の簡単な説明】
【００６５】
【図１】キャビネットの要部とディスクトレイとの取り合わせを示した概略斜視図である。
【図２】本発明の第１実施形態に係るキャビネットの概略正面図である。
【図３】図２の要部の拡大図である。
【図４】図２の要部の概略拡大斜視図である。
【図５】トレイ飾りが凹入部に嵌まり込んでいるときの図３のＶ−Ｖ線に沿う部分の拡大断面図である。
【図６】トレイ飾りが凹入部に嵌まり込んでいるときの図３のＶＩ−ＶＩ線に沿う部分の一部省略拡大断面図である。
【図７】本発明の第２実施形態に係るトレイ飾りを後面側から見た概略斜視図である。
【図８】第２実施形態に係るフロントパネルの凹入部の構成を示した横断平面図である。
【図９】トレイ飾りが凹入部に嵌まり込んでいるときの要部の垂直拡大断面図である。
【図１０】トレイ飾りが凹入部に嵌まり込んでいるときの要部の一部省略横断拡大断面図である。
【図１１】第３実施形態に係るトレイ飾りを後面側から見た概略斜視図である。
【図１２】第２実施形態に係るフロントパネルの概略正面図である。
【図１３】トレイ飾りが凹入部に嵌まり込んでいる状態での図１２のＸＩＩＩ−ＸＩＩＩ線に沿う部分の拡大断面図である。
【図１４】トレイ飾りが凹入部に嵌まり込んでいる状態での図１２のＸＩＶ−ＸＩＶ線に沿う部分の一部省略拡大断面図である。
【図１５】ディスクトレイとトレイ飾りとの取付け構造の一例を水平断面図で示した説明図である。
【符号の説明】
【００６６】
２  凹入部
３  クッション材
５  ディスクトレイ
６  トレイ飾り
２１  開口窓
２２  凹入部の底壁
２２ａ，２２ｂ  底壁の内側端縁
２６  突片部
６０  縁枠部
６５  傾斜面
６５ａ，６５ｂ  傾斜面の一対の面部
６６  膨出部
８１  幅方向位置決めリブ
８２  高さ方向位置決めリブ
８４  板片部
８５  膨出部
Ｈ  高さ方向
Ｗ  幅方向
【図１】
2010009679.tif 000003
【図２】
2010009679.tif 000004
【図３】
2010009679.tif 000005
【図４】
2010009679.tif 000006
【図５】
2010009679.tif 000007
【図６】
2010009679.tif 000008
【図７】
2010009679.tif 000009
【図８】
2010009679.tif 000010
【図９】
2010009679.tif 000011
【図１０】
2010009679.tif 000012
【図１１】
2010009679.tif 000013
【図１２】
2010009679.tif 000014
【図１３】
2010009679.tif 000015
【図１４】
2010009679.tif 000016
【図１５】
2010009679.tif 000017